(57)【要約】【課題】仮設足場を構成する支柱部材と各種連結部材とを連結するための手段として活用出来る【解決手段】支柱部材２に固着された支持板１２と、この支持板１２上に載置された足場板支持用のブラケット４などの被支持部２０とを、支持板１２に設けられた係合孔１４を利用して結合する結合手段１０が、被支持部２０から下向きに連設された被係合突起部２１、ブラケット４などから連設されて被支持部２０の左右両側に位置し且つ楔板案内孔２４ａ，２４ｂが設けられた楔板支持部２３ａ，２３ｂ、及び楔板１６から成り、被係合突起部２１は、係合孔１４に下向きに差し込まれ且つ支持板１２の下側に入り込み可能な抜け止め用爪部２１ａを備え、楔板１６は、楔板案内孔２４ａ，２４ｂを水平方向に貫通する状態で支柱部材２と被支持部２０との間に左右水平方向に打ち込まれることにより、被支持部２０を支柱部材２から遠ざける方向に押圧移動させる構成。【選択図】図３
2016132922.tif 000002
【特許請求の範囲】
【請求項１】
仮設足場用の支柱部材と連結部材との連結装置であって、支柱部材には、連結部材取付け高さにおいて水平に張り出す支持板が固着され、当該支持板には、前記支柱部材の長さ方向と平行な上下方向に貫通する係合孔が設けられ、連結部材には、前記支持板の上に載置される被支持部が突設され、前記支持板と当該支持板の上に載置された前記被支持部とを、前記係合孔を利用して結合する結合手段が設けられた仮設足場用連結装置において、前記結合手段が、前記被支持部から連設された被係合突起部、前記被支持部に対して前記支柱部材の長さ方向と直交する左右水平方向に離れて位置するように前記連結部材から連設され且つ楔板案内孔が設けられた楔板支持部、及び楔板から成り、前記被係合突起部は、前記被支持部を前記支持板上に載置したときに前記係合孔に下向きに差し込まれ且つ前記支柱部材から前記被支持部を遠ざける方向に移動させたときに前記支持板の下側に入り込む抜け止め用爪部を備え、前記楔板は、前記楔板案内孔を水平方向に貫通する状態で前記支柱部材と被支持部との間に左右水平方向に打ち込まれることにより、前記被支持部を支柱部材から遠ざける方向に押圧移動させる、仮設足場用連結装置。
【請求項２】
前記楔板支持部は、前記被支持部を挟むように左右一対並設されている、請求項１に記載の仮設足場用連結装置。
【請求項３】
前記連結部材は、前記支柱部材に対し直交する水平向きの鋼管部を有し、前記被支持部は、前記鋼管部内に、板面が上下方向となる向きに差し込まれて左右水平向きの止着具により固定される帯状基板から連設され、前記楔板支持部は、前記帯状基板の側面に重ねられて固着される帯状側板から連設されている、請求項１又は２に記載の仮設足場用連結装置。
【請求項４】
前記被支持部は、その支柱部材側の垂直側辺に、楔板が嵌合する切欠き凹部が形成されている、請求項１〜３の何れか１項に記載の仮設足場用連結装置。
【請求項５】
前記楔板支持部は、前記被支持部の左右両側の内の何れか片側にのみ設けられている、請求項４に記載の仮設足場用連結装置。
【発明の詳細な説明】
【技術分野】
【０００１】
本発明は、建設現場などにおいて仮設足場を組み立てるときに、支柱部材と連結部材とを連結するための手段として使用する仮設足場用連結装置に関するものである。
【背景技術】
【０００２】
建設現場などにおいて組み立てられる仮設足場として、特許文献１に示されるように、一対の支柱部材を水平の連結部材によって連結一体化し、この水平の連結部材に足場板を支持させる構造のものが知られている。又、支柱部材に連結される連結部材としては、１本の支柱部材に片持ち状に連結される足場板支持用ブラケットも知られている。何れの場合も、支柱部材にこの種の連結部材を連結させるための連結装置は、特許文献１に示されるように、支柱部材には、連結部材取付け高さにおいて水平に張り出す支持板が固着され、当該支持板には、前記支柱部材の長さ方向と平行な上下方向に貫通する係合孔が設けられ、連結部材には、前記支持板の上に載置される被支持部が突設され、前記支持板と当該支持板の上に載置された前記被支持部とを、前記係合孔と楔板を利用して結合する結合手段が設けられたものである。
【先行技術文献】
【特許文献】
【０００３】
【特許文献１】特開２００８−１６９５７９号公報
【発明の概要】
【発明が解決しようとする課題】
【０００４】
特許文献１に示されるような従来周知の連結装置では、前記結合手段が、楔板を上から下向きに打ち込んでロックし、その楔板を下から上向きに打ち叩いてロック解除する構成であった。従って、特にロック解除操作に際して、支柱部材に沿うように位置する楔板をハンマーで下から上向きに打ち叩くことになるので、ハンマーの打撃面の中心部で楔板の下端を的確に且つ必要な打撃力で上向きに打ち叩くことが非常に困難なものであった。又、連結部材が足場板支持用ブラケットである場合、当該ブラケットは、足場板を支持する上側水平鋼管部、この上側水平鋼管部の外端部から支柱部材側へ斜め下方に延びて内端が支柱部材に当接する支持用斜材部、及び上側水平鋼管部の内端側と支持用斜材部の内端側とを連結一体化する縦材部から成る三角形状のものであり、支柱部材との結合手段は、前記上側水平鋼管部の内端に設けられる。従って、当該結合手段の楔板の下側には、前記縦材部や支持用斜材部が存在することになるので、ハンマーで楔板の下端を上向きに打ち叩く場合、前記縦材部や支持用斜材部と干渉しないように、当該ハンマーを斜め上向きに振り上げて楔板の下端を打ち叩くことになり、その操作は非常に困難なものとなる。
【課題を解決するための手段】
【０００５】
本発明は、上記のような従来の問題点を解消することのできる仮設足場用連結装置を提案するものであって、本発明に係る仮設足場用連結装置は、後述する実施例との関係を理解し易くするために、当該実施例の説明において使用した参照符号を括弧付きで付して示すと、仮設足場用の支柱部材(2)と連結部材(3,4)との連結装置であって、支柱部材(2)には、連結部材取付け高さにおいて水平に張り出す支持板(12)が固着され、当該支持板(12)には、前記支柱部材の長さ方向と平行な上下方向に貫通する係合孔(14)が設けられ、連結部材には、前記支持板(12)の上に載置される被支持部(20)が突設され、前記支持板(12)と当該支持板(12)の上に載置された前記被支持部(20)とを、前記係合孔(14)を利用して結合する結合手段(10)が設けられた仮設足場用連結装置において、前記結合手段(10)が、前記被支持部(20)から連設された被係合突起部(21)、前記被支持部(20)に対して前記支柱部材(2)の長さ方向と直交する左右水平方向に離れて位置するように前記連結部材(3,4)から連設され且つ楔板案内孔(24a/24b)が設けられた楔板支持部(23a/23b)、及び楔板(16)から成り、前記被係合突起部(21)は、前記被支持部(20)を前記支持板(12)上に載置したときに前記係合孔(14)に下向きに差し込まれ且つ前記支柱部材(2)から前記被支持部(20)を遠ざける方向に移動させたときに前記支持板(12)の下側に入り込む抜け止め用爪部(21a)を備え、前記楔板(16)は、前記楔板案内孔(24a/24b)を水平方向に貫通する状態で前記支柱部材(2)と被支持部(20)との間に左右水平方向に打ち込まれることにより、前記被支持部(20)を支柱部材(2)から遠ざける方向に押圧移動させる構成になっている。
【発明の効果】
【０００６】
上記本発明の構成によれば、結合手段の楔板は、平面視において、支柱部材とこれに結合される連結部材との間に左右水平向きに配置されることになるので、ロック操作時（楔板打ち込み時）は、平面視において、支柱部材とこれに結合される連結部材との間の横側方位置に突出している楔板の外端部を、支柱部材とこれに結合される連結部材との間に向かって水平にハンマーで打ち叩くことになり、ロック解除操作時（楔板抜取り時）は、支柱部材とこれに結合される連結部材との間の横側方位置に突出している楔板の内端部を、支柱部材とこれに結合される連結部材との間に向かって水平にハンマーで打ち叩くことになる。従って、仮に前記連結部材が足場板支持用ブラケットの上側水平鋼管部である場合でも、ロック操作時、ロック解除操作時の何れの場合も、支柱部材や連結部材に邪魔されることなく、楔板の外端又は内端をハンマーで的確に且つ必要な打撃力で打ち叩くことが非常に容易に行える。換言すれば、支柱部材に対する連結部材の取付け取り外しを非常に容易に且つ確実に行うことが出来る。
【０００７】
尚、前記楔板支持部(23a/23b)は、基本的には前記被支持部(20)を挟むように左右一対並設されるものである。この構成によれば、楔板の外端部側と内端部側の両方を、左右一対の楔板支持部の楔板案内孔によって支持させることが出来るので、楔板の水平姿勢が確実に維持され、この楔板が押圧作用する前記被支持部の垂直側辺に、当該楔板が嵌合する切欠き凹部を形成しておかなくとも、楔板の打ち込みによるロック作用を確実に行わせることが出来る。
【０００８】
又、前記連結部材(3,4)が、前記支柱部材(2)に対し直交する水平向きの鋼管部(5,7)を有するものであるときは、前記被支持部(20)は、前記鋼管部(5,7)内に、板面が上下方向となる向きに差し込まれて左右水平向きの止着具(25)により固定される帯状基板(17)から連設し、前記楔板支持部(23a/23b)は、前記帯状基板(17)の側面に重ねられて固着される帯状側板(19a/19b)から連設することが出来る。この構成によれば、結合手段を連結部材から切り離して製造しておき、最後に結合手段を連結部材に組込めば良いので、結合手段を備えた連結部材の製造が容易且つ安価に実施出来る。
【０００９】
勿論、前記被支持部(20)には、その支柱部材(2)側の垂直側辺に、楔板(16)が嵌合する切欠き凹部(22)を形成しておくことが出来る。この構成によれば、楔板案内孔を有する楔板支持部は、前記被支持部の左右両側の内の何れか片側に設けておくだけでも、楔板の水平姿勢は維持させることが出来るので、このように構成して部品点数を減らし、コストダウンを図ることが出来る。
【図面の簡単な説明】
【００１０】
【図１】図１Ａは、本発明の連結装置で組み立てられた仮設足場の要部を示す側面図、図１Ｂは、本発明の連結装置で支柱部材に取り付けられる足場板支持用ブラケットを示す側面図である。
【図２】図２Ａは、支柱部材要部の横断平面図、図２Ｂは、支柱部材要部の一部縦断側面図である。
【図３】図３Ａは、支柱部材に対する足場板支持用ブラケットの取付け状態を示す要部の一部横断平面図、図３Ｂは、同要部の一部切欠き側面図である。
【図４】図４Ａは、足場板支持用ブラケットの要部の横断平面図、図４Ｂは、図４ＡのＸ位置での縦断正面図、図４Ｃは、図４ＡのＹ位置での縦断正面図である。
【図５】図５は、結合手段のみの一部切欠き斜視図である。
【図６】図６Ａは、第二実施例を示す要部の一部横断の平面図、図６Ｂは、第三実施例を示す要部の一部横断の平面図、図６Ｃは、第四実施例を示す要部の一部縦断側面図である。
【発明を実施するための形態】
【００１１】
図１は、２本の支柱部材２を奥行き方向の連結部材３により互いに連結すると共に、片側の支柱部材２の外側に足場板支持用ブラケット４を取り付けて成る、仮設足場組立て用支持ユニット１を示している。奥行き方向の連結部材３は、支柱部材２の高さ方向適当間隔おきの位置に架設されるものであるが、図では１つの連結部材３を示している。この支持ユニット１を間口方向適当間隔おきに配置すると共に、各支持ユニット１の支柱部材２どうしを間口方向の連結部材によって互いに連結し、必要に応じてブレース材を架設して仮設足場用枠組み構造体を構成し、同一高さにある奥行き方向の連結部材３間に、間口方向に足場板を支持させると共に、同一高さにある足場板支持用ブラケット４間にも、間口方向に足場板を支持させることにより、仮設足場が構成される。
【００１２】
各支柱部材２は、一定長さの鋼管から成るもので、全長（全高）が必要長さになるように複数本の支柱部材２が継ぎ足されるものである。連結部材３は、一定長さの水平鋼管部５の両端に、支柱部材２への結合手段６を取り付けたものである。足場板支持用ブラケット４は、足場板を支持する上側水平鋼管部７、一端が上側水平鋼管部７の外端部下側に固着されると共に外端が上側水平鋼管部７の内端部下方に位置する支持用斜材部８、及び上側水平鋼管部７の内端部と支持用斜材部８の内端部とを連結一体化する縦材部９から成る三角形状のものであり、縦材部９より突出する上側水平鋼管部７の内端に支柱部材２への結合手段１０が取り付けられ、縦材部９の下端内側には、支柱部材２への嵌合当接部１１が付設されている。
【００１３】
連結部材３の結合手段６と足場板支持用ブラケット４の結合手段１０は同一構造のものであって、支柱部材２の長さ方向適当間隔おきに固着された支持板１２と、連結部材３の水平鋼管部６の両端及び、足場板支持用ブラケット４の上側水平鋼管部８の内端に取り付けられた、結合ユニット１３から構成されている。支柱部材２の各支持板１２は、図２に示すように、中心孔部を支柱部材２が貫通する状態で当該中心孔部の内周縁と支柱部材２の外周面とを溶接により固着一体化したものであって、その中心孔部から周方向９０度間隔おきの放射状に係合孔１４が設けられている。この支持板１２の輪郭は、各係合孔１４間の部分が支柱部材２側に入り込む十字形に形成している。
【００１４】
結合ユニット１３は、図３〜図５に示すように、本体１５と楔板１６から構成されている。本体１５は、板面が上下方向になる厚板から成る帯状基板１７と、この帯状基板１７の両側に当接すると共に、水平方向の止着具（リベットなど）１８によって帯状基板１７に固着された帯状側板１９ａ，１９ｂから成るもので、帯状基板１７の先端面上半部から被支持部２０が、当該帯状基板１７の延長方向に一体に連設され、この被支持部２０の先端から被係合突起部２１が下向きに一体に連設され、当該被係合突起部２１の下端内側（帯状基板１７のある側）に抜け止め用爪部２１ａが突設されると共に、被支持部２０の先端面に楔板が嵌合する切欠き凹部２２が形成されている。又、左右一対の帯状側板１９ａ，１９ｂは、その先端面上半部から、帯状基板１７の被支持部２０に対して左右対称に外側へ離れて位置する、被支持部２０と平行な楔板支持部２３ａ，２３ｂが一体に連設され、これら両楔板支持部２３ａ，２３ｂに楔板案内孔２４ａ，２４ｂが設けられている。
【００１５】
上記構成の結合ユニット１３の本体１５は、その帯状基板１７と両側の帯状側板１９ａ，１９ｂが、連結部材３の水平鋼管部６の両端及び、足場板支持用ブラケット４の上側水平鋼管部８の内端に差し込まれ、これらの全体を水平方向に貫通する２本の止着具（リベットなど）２５によって水平鋼管部６及び上側水平鋼管部８に、被支持部２０、被係合突起部２１、及び左右両楔板支持部２３ａ，２３ｂが水平鋼管部６及び上側水平鋼管部８から突出するように固着されている。尚、本体１５の少なくとも厚板から成る帯状基板１７は、その上下両側辺が水平鋼管部６及び上側水平鋼管部８の内周面に隣接し得る高さ（上下巾）を有する。又、足場板支持用ブラケット４の上側水平鋼管部８に本体１５を取り付ける２本の止着具２５の内の１本は、この上側水平鋼管部８に外嵌する縦材部９の上端部を当該上側水平鋼管部８に固定する止着具に兼用させている。
【００１６】
楔板１６は、左右一対の楔板支持部２３ａ，２３ｂ間の間隔よりも長いもので、板面が水平向きの状態で、巾の狭い先端部１６ａから楔板案内孔２４ａに外側から差し込まれ、最終的に当該先端部１６ａが楔板案内孔２４ｂから外側に突出する。このとき、両楔板案内孔２４ａ，２４ｂ間において、当該楔板１６のその内側辺（帯状基板１７のある側）が被支持部２０の切欠き凹部２２に嵌合する。又、楔板１６の内側辺は、先端部１６ａに向かって巾が漸減する傾斜部１６ｂと、当該傾斜部１６ｂから巾の広い後端部までの同一巾の平行部１６ｃを備えている。更に、楔板１６の先端部１６ａには、その下側面から頭部が下向きに突出する抜け止めピン２６が取り付けられている。そして、楔板案内孔２４ａは、楔板１６を楔板案内孔２４ａから外側へ引き抜こうとしたときに抜け止めピン２６が楔板案内孔２４ａに引っ掛かって、本体１５から楔板１６が外れ落ちないように上下巾を狭めると共に、楔板案内孔２４ｂは、楔板１６の先端部１６ａが抜け止めピン２６と共に通過し得るように上下巾を広くしている。
【００１７】
以下、使用方法と作用について説明すると、楔板１６を外側に後退させて、抜け止めピン２６を楔板案内孔２４ａに引っ掛けた状態（図４Ａ，Ｂ参照）において、本体１５の被係合突起部２１を、支柱部材２の支持板１２の１つの係合孔１４に上から下向きに差し込んで、当該被係合突起部２１の上端に連なる被支持部２０を、支持板１２上に支持させる。このとき、左右一対の楔板支持部２３ａ，２３ｂが支柱部材２と干渉しないように、両楔板支持部２３ａ，２３ｂ間の間隔が設定されている。この状態から連結部材３又は足場板支持用ブラケット４を支柱部材２から引き離すように水平に後退移動させて、被係合突起部２１の下端の抜け止め用爪部２１ａを、係合孔１４の下側位置から支持板１２の下側に入り込ませる。この結果、本体１５の被支持部２０と支柱部材２との間には、楔板１６を打ち込める空間が確保されるので、楔板案内孔２４ａに引っ掛かった状態の楔板１６を、その先端部１６ａが被支持部２０の切欠き凹部２２を経由して反対側の楔板案内孔２４ｂを貫通するように、水平に打ち込む。この楔板１６の打ち込みが、図３に示すように、当該楔板１６の傾斜部１６ｂが楔板案内孔２４ｂの内面に圧接して制限されたとき、当該楔板１６の巾の広くなった平行部１６ｃの始端部が被支持部２０の切欠き凹部２２と支柱部材２の外周面とに圧接し、被係合突起部２１の内側面が支持板１２の係合孔１４の外端面に圧接することになる。換言すれば、楔板１６の打ち込みによりこの状態となるように、支持板１２の係合孔１４、本体１５の各部、及び楔板１６の寸法的条件が設定されている。
【００１８】
上記のように各結合手段６，１０の楔板１６を水平向きにハンマーで打ち叩くだけの操作により、連結部材３は、その両端の結合手段６によって、支柱部材２間の所定高さに架設して、２本の支柱部材２どうしを互いに連結し、足場板支持用ブラケット４は、その内端の結合手段１０により、２本の支柱部材２の内の外側の支柱部材２の所定高さに取り付けて、図１Ａに示す仮設足場組立て用支持ユニット１を組み立てることが出来る。この組立て状態において、連結部材３や足場板支持用ブラケット４が、その水平鋼管部５や上側水平鋼管部７の長さ方向に水平に移動することは、支柱部材２側の支持板１２の係合孔１４と被係合突起部２１との水平方向の当接と、被支持部２０が楔板１６を介して支柱部材２に当接していることにより、阻止され、連結部材３や足場板支持用ブラケット４が支柱部材２に長さ方向に上下移動することは、支柱部材２側の支持板１２と被係合突起部２１の抜け止め用爪部２１ａとの間の上下方向の当接と、被支持部２０と支柱部材２側の支持板１２との間の上下方向の当接によって、阻止される。従って、連結部材３や足場板支持用ブラケット４は支柱部材２の所定位置にある支持板１２に確実に結合される。
【００１９】
尚、支柱部材２の１つの支持板１２に、連結部材３と足場板支持用ブラケット４とを連結することは、当該支持板１２の直径方向の両側に位置する２つの係合孔１４を利用することにより可能であるが、同様に組み立てられた足場組立て用支持ユニット１との間で間口方向に長尺連結部材（連結部材３の水平鋼管部５の長さが長いもの）を架設するとき、この長尺連結部材の両端にも、連結部材３の両端に取り付けた結合手段６と同一の結合手段を取り付け、この結合手段を利用して前記長尺連結部材を、連結部材３や足場板支持用ブラケット４を支持する支持板１２に連結支持させることは、それぞれの結合手段の本体１５や楔板１６が互いに干渉する恐れがあるので、当該支持板１２とは高さの異なる支持板１２に対して前記長尺連結部材を連結することになる。
【００２０】
勿論、本発明の構成（上記実施例の結合手段６，１０）を、連結部材３と足場板支持用ブラケット４の何れか一方と支柱部材２との連結、若しくは、仮設足場組立て用支持ユニット１どうしを間口方向に連結する長尺連結部材と支柱部材２との連結にのみ使用し、他の連結部材などと支柱部材２との連結には、上から下向きに楔板を打ち込む形式の、従来周知の結合手段を利用しても良い。組み立てられた仮設足場組立て用支持ユニット１を解体するときは、楔板１６の先端部１６ａをハンマーで水平方向に打ち叩いて、当該楔板１６の先端部１６ａを、楔板支持部２３ｂの楔板案内孔２４ｂから内側に脱出させると共に、楔板支持部２３ａの楔板案内孔２４ａから外側に突出している楔板１６を、抜け止めピン２６で制限される位置まで引き抜けば良い。
【００２１】
尚、上記実施例のように、締結状態において平行部１６ｃが本体１５の被支持部２０に作用するように構成した楔板１６を組み合わせることによって、多少の振動が働いても緩み難い、安全性の高い連結装置として活用出来るが、場合によっては、平行部１６ｃを持たない楔板１６を併用しても良い。又、本発明の実施に際して、図６Ａに示すように、本体１５の被支持部２０に作用する平行部１６ｃと後端との間が、後端側ほど高くなる（巾広になる）後半傾斜部１６ｄを備えた楔板１６を使用するときは、平行部１６ｃが本体１５の被支持部２０に作用した締結状態において、後半傾斜部１６ｄが楔板支持部２３ａの楔板案内孔２４ａに圧接して、それ以上の楔板１６の打ち込みを制限するように構成することも出来る。この構成によるときは、本体１５の被支持部２０に設けられた切欠き凹部２２と楔板案内孔２４ａによって楔板１６の姿勢が決まるので、楔板案内孔２４ｂを備えた楔板支持部２３ｂは無くすことも出来る。
【００２２】
上記の構成とは逆に、先に示した実施例のように、本体１５の被支持部２０に設けられた切欠き凹部２２と楔板案内孔２４ｂとによって楔板１６の姿勢が決まる構成であるときは、図６Ｂに示すように、楔板案内孔２４ａを備えた楔板支持部２３ａは無くすことも出来る。この場合は、抜け止めピン２６を利用して、本体１５から楔板１６が外れるのを防止出来ないので、例えば楔板１６の後端部と、本体１５の適当箇所（帯状基板１７と帯状側板１９ｂとを結合一体化する止着具１８など）とを、チエンやワイヤーロープなどの索状体２７により連結しておくことが出来る。更に、先に示した実施例のように、左右一対の楔板支持部２３ａ，２３ｂの楔板案内孔２４ａ，２４ｂによって楔板１６の位置が決まる構成であるときは、図６Ｃに示すように、本体１５の被支持部２０に切欠き凹部２２を設けないで、被支持部２０の垂直側面に直接楔板１６が圧接するように構成しても良い。
【産業上の利用可能性】
【００２３】
本発明に係る仮設足場用連結装置は、建設現場などにおいて仮設足場を組み立てるときに、支柱部材と当該支柱部材に連結される各種連結部材とを連結するための手段として活用することが出来る。
【符号の説明】
【００２４】
１    仮設足場組立て用支持ユニット
２    支柱部材
３    連結部材
４    足場板支持用ブラケット
５    水平鋼管部
６，１０    結合手段
７    上側水平鋼管部
８    支持用斜材部
９    縦材部
１１    嵌合当接部
１２    支持板
１３    結合ユニット
１４    係合孔
１５    本体
１６    楔板
１６ａ    先端部
１６ｂ    傾斜部
１６ｃ    平行部
１６ｄ    後半傾斜部
１７    帯状基板
１８，２５    止着具（リベットなど）
１９ａ，１９ｂ    帯状側板
２０    被支持部
２１    被係合突起部
２１ａ    抜け止め用爪部
２２    切欠き凹部
２３ａ，２３ｂ    楔板支持部
２４ａ，２４ｂ    楔板案内孔
２６    抜け止めピン
２７    索状体
【図１】
2016132922.tif 000003
【図２】
2016132922.tif 000004
【図３】
2016132922.tif 000005
【図４】
2016132922.tif 000006
【図５】
2016132922.tif 000007
【図６】
2016132922.tif 000008